(57)【要約】【課題】  小型で安価な光分岐回路とこの光分岐回路を用いた同時に複数の化学物質の検出が可能なセンサを提供することを目的とする。【解決手段】  センサ１１は表面に第１光導波路５が形成されたガラス製の基板２と、側面全周にわたってループ状に第２光導波路６が形成されたガラス製の略円柱状部材３と、第２光導波路６上の一部に塗布された機能性薄膜１２ａ〜１２ｄと、レーザ光源１３と、プリズム１４と、光検出器１５ａ〜１５ｅとを備え、略円柱状部材３は側面平坦部が基板２の表面に当接するように基板２上に配置されている。【選択図】  図３
2006105796.tif 000002
【特許請求の範囲】
【請求項１】
表面に第１の光導波路が形成された基板と、側面全周にわたってループ状に第２の光導波路が形成された略円柱状部材とを備え、この略円柱状部材は側面平坦部上の前記第２の光導波路が前記第１の光導波路に当接するように前記基板上に配置されるとともに、前記第１の光導波路内部の光の進行方向と前記略円柱状部材の軸方向とが平行でなく、若しくは直交しないことを特徴とする光分岐回路。
【請求項２】
前記側面平坦部を除く前記第２の光導波路上に、被検出物質の作用によって光透過度が変化する機能性薄膜が形成された請求項１に記載の光分岐回路と、この光分岐回路から出力される光の強度を検出する光検出器とを備えたことを特徴とするセンサ。
【発明の詳細な説明】
【技術分野】
【０００１】
本発明は、光信号を複数に分配するための光分岐回路及びそれを用いたセンサに係り、特にループ状光導波路を利用した光分岐回路及び気体や液体など複数の化学物質を同時に検出することが可能なセンサに関する。
【背景技術】
【０００２】
光信号をＮ（Ｎ≧２）個に分岐する機能を持つ光分岐回路は、光ファイバ通信、光信号処理、光計測、光センサなどの分野で重要な光部品の一つである。光分岐回路はその形態によりバルク型、光導波路型の２種類に大別することができる。
バルク型分岐回路は従来から使用されるレンズやプリズム、干渉膜フィルタなどから構成されており、組み立てや調整が複雑なため、小型化や低価格化が容易でないという問題がある。
一方、光導波路型分岐回路はフォトリソグラフィ技術を用いて平面基板上に形成した光導波路を用いて光の進行方向を変えたり、分岐させたりするものであり、構造が簡単であるため、小型化や低価格化を実現できる可能性が高い。なお、光導波路とは電気回路中に電子が流れるように、屈折率の違いを利用して回路に光信号を導くものをいう。
【０００３】
図５は従来の光導波路型Ｙ分岐回路の一例を示す図である。図５に示すように光分岐回路１においては、光導波路１６を進行した入力光はＹ分岐１７においてそれぞれ２分岐をｎ段繰り返すことによりＮ（＝２ｎ）個に分配される。Ｙ分岐１７の分岐角は１〜５°程度であり、分岐導波路間隔を大きくする場合や多段接続をする場合には極めて長い距離が必要である。そのため、このような構造の光分岐回路においては小型化が困難である。
【０００４】
一方、光分岐回路をセンサに利用した場合、同時に複数の化学物質の検出が可能となる。その一例としてガスセンサについて図６及び図７を用いて説明する。図６は透過型ガスセンサの原理を説明する図である。図６に示すように、ガスセンサ１８は表面に直線状の光導波路１６が形成された基板２と、光導波路１６を進行した光の強度変化を検出する光検出器１５とを備えており、光導波路１６の途中にはガスの作用により光透過度が変化する機能性薄膜１２が塗布されている。
光導波路１６内に入射された光は全反射しながら光導波路１６を進行するが、僅かながら表面から漏れ出る光が機能性薄膜１２を伝わる。このとき機能性薄膜１２の光透過度がガスの吸着により変化すると、光導波路１６を進行した光の強度が変化する。従って、このような構造のガスセンサ１８においては、光導波路１６を進行した光の強度変化を検出することにより間接的にガスを検出することができる。
図７は光分岐回路を用いたガスセンサの構成図である。図７に示すように、ガスセンサ１８ａはレーザ光源１３と、プリズム１４と、表面に光導波路１６が形成された基板２と、光導波路１６を進行した光の強度変化を検出する光検出器１５ａ〜１５ｅとを備え、分岐された数本の光導波路１６の途中にはそれぞれ機能性薄膜１２ａ〜１２ｅが塗布されている。レーザ光源１３から出射されプリズム１４により光導波路１６に入射された光は光分岐回路により分岐された後、それぞれ対応する光導波路１６を進行し、光検出器１５ａ〜１５ｅに到達する構造となっている。
このような構造のガスセンサ１８ａにおいては、図６と同様の原理によりガスを検出することができる。さらに、分岐された複数本の光導波路１６に塗布する機能性薄膜１２ａ〜１２ｅの種類をそれぞれ異なるものとすれば、同時に複数のガスを検出することが可能となる。しかし、上記構成のガスセンサ１８ａにおいては測定感度を向上させるためには機能性薄膜１２ａ〜１２ｅを長く形成する必要があり、ガスセンサ１８ａが大型化してしまう。また、同時に検出できるガスの種類を増やすためには光導波路１６の分岐数を増やす必要がある。この場合、光分岐回路の構造が複雑になるため、ガスセンサ１８ａの小型化が困難となるという課題があった。
【０００５】
このような課題に対処するため、いくつかの発明及び考案が開示されている。例えば特許文献１には、「導波型光スターカプラ」という名称で、光通信システムにおいて信号光を複数の場所に分配するための、導波型光スターカプラに関する発明が開示されている。
【０００６】
以下、図８を参照しながら、特許文献１に開示された発明について説明する。図８は従来技術に係る１２８分岐導波型光スターカプラの平面構成図である。図８に示すように、特許文献１に開示された発明は、シリコン基板５１上に入力用単一モードチャンネル導波路５２、扇型スラブ導波路５３、多数のテーパ導波路５４及び多数の出力用単一モードチャンネル導波路５５を順次配置し、接続した構造を備えるものである。
このような構造によれば、入射信号光は扇形スラブ導波路５３内の回折により広がった後、一度に分岐されるので、Ｙ分岐を多段に設けるよりも小型化が可能であると同時に過剰損失と分岐ばらつきを小さくすることが可能である。
【０００７】
また、特許文献２には、「導波路型光スターカプラ」という名称で、ある入力導波路へ入射した光信号を複数の出力導波路へ分配する導波路型光スターカプラに関する発明が開示されている。
特許文献２に開示された発明は、第２コア導波路上に出力端の幅が拡がると共に厚みが薄くなるテーパ部を持った第１のコア導波路を積層した構造を備えるものである。
このような構造によれば、光の結合効率が高く、また導波モードの波面の傾きを一様にできるモードパターン整合機能を持っているため、小型にも拘らず、多ポート化の実現が可能であり、更に波長依存性が少ないので広帯域な光信号に対応することができる。
【０００８】
さらに特許文献３には、「ガス計測装置およびそれを用いた呼気テスト方法」という名称で、光による、小型で高感度なガス計測装置及びそれを用いた呼気テスト方法に関する発明が開示されている。
特許文献３に開示された発明は、光源と、この光源からの光を入力して周囲のガスとエバネッセント場により相互作用する微小球共振器を含むガスセンサと、このガスセンサからの出力光を受ける受光器とを備えるものである。
このような構造によれば、微小球共振器のＱ値を計測することにより、または微小球共振器の中心周波数を計測することにより、周囲のガスの濃度を計測することができるため、計測装置を小型化・高感度・高分解能とすることができる。
【０００９】
【特許文献１】特許第２５３８０９９号公報
【特許文献２】特許第２７８３３６２号公報
【特許文献３】特開２０００−８８７４５号公報
【発明の開示】
【発明が解決しようとする課題】
【００１０】
しかしながら、上述の従来技術である特許文献１に開示された発明においては、光分岐回路の構造が複雑であり、またセンサへの利用を想定すると分岐数を４から８程度、分岐導波路間隔を数ｍｍ程度にする必要があり、たとえ一度に分岐させても分岐後の広がりが大きくなり小型化が困難となるという課題があった。
【００１１】
また、特許文献２に開示された発明においては、光導波路が積層構造となっているため、構造が複雑となりセンサの小型化が困難である。さらに、フォトリソグラフィ工程を数回繰り返して行う必要があるため、製造費用が増大するという課題があった。
【００１２】
特許文献３に開示された発明においては、微小球共振器内を光が回っているため、光路長を長くした場合と同じ効果が得られ、雰囲気中のガスを高感度で検出することができるものの、１種類のガスしか検出できないという課題があった。
【００１３】
本発明はかかる従来の事情に対処してなされたものであり、構造を簡易にすることで小型で安価な光分岐回路とこの光分岐回路を用いた同時に複数の化学物質の検出が可能なセンサを提供することを目的とする。
【課題を解決するための手段】
【００１４】
上記目的を達成するため、請求項１記載の発明である光分岐回路は、表面に第１の光導波路が形成された基板と、側面全周にわたってループ状に第２の光導波路が形成された略円柱状部材とを備え、この略円柱状部材は側面平坦部上の第２の光導波路が第１の光導波路に当接するように基板上に配置されるとともに、第１の光導波路内部の光の進行方向と略円柱状部材の軸方向とが平行でなく、若しくは直交しないことを特徴とするものである。ここで、略円柱状部材とは円柱の軸に平行な一平面で切断され、その一部を除去された円柱状の部材であって、切断除去される部分の体積が円柱全体の体積の１／２より少ないものをいう。また、円柱側面の切断面を本願発明においては側面平坦部という。
上記構成の光分岐回路によれば、第１の光導波路内に入射し、全反射しながら進行した光（以下、第１光導波路入射光という。）は、略円柱状部材の側面平坦部では第１及び第２の２つの光導波路を進行し、側面平坦部の縁において第１の光導波路を進行する光（以下、第１光導波路通過光という。）とループ状の第２の光導波路を進行する光（以下、第２光導波路通過光という。）とに分岐される。この第２光導波路通過光は略円柱状部材の側面に沿って螺旋状に周回した後、側面平坦部において再び第１の光導波路及び第２の光導波路をともに進行し、さらに側面平坦部の縁で再度第１光導波路通過光と第２光導波路通過光とに分岐され、以下この現象を繰り返す。すなわち、１本の第１光導波路入射光はループ状の第２の光導波路を進行して略円柱状部材の側面に沿う螺旋状の周回を繰り返すことにより、複数本の光に分岐される。また、複数本に分岐された第１光導波路通過光の間隔は、第１光導波路入射光の進行方向と略円柱状部材の軸方向とのなす角度により定まる。
【００１５】
請求項２記載のセンサは、側面平坦部を除く第２の光導波路上に、被検出物質の作用によって光透過度が変化する機能性薄膜が形成された請求項１に記載の光分岐回路と、この光分岐回路から出力される光の強度を検出する光検出器とを備えるものである。
上記構成のセンサにおいては、被検出物質の作用により機能性薄膜の光透過度が変化すると第２の光導波路を進行する光の一部が機能性薄膜に吸収されるため、光分岐回路から出力される光の強度が変化するという作用を有する。また、第２の光導波路がループ状をなしているため、直線状に設けられるよりも距離を稼ぐことが可能である。これによりセンサの検出感度が向上する。
【発明の効果】
【００１６】
以上説明したように、本発明の請求項１に記載の光分岐回路においては、分岐回路が３次元構造であるため、第１の光導波路の光の進行方向について回路の長さを大きく変えることなく、分岐数を増やすことができる。
【００１７】
本発明の請求項２に記載のセンサにおいては、光分岐回路から出力される光の強度を検出することにより被検出物質を検出することができる。また、第１の光導波路の光の進行方向についてセンサの長さを大きく変えることなく機能性薄膜長を長くできるため、センサの小型化と高感度化が可能となる。さらに、第２の光導波路上に数種類の機能性薄膜を形成すれば、同時に複数の物質を検出することが可能である。
【発明を実施するための最良の形態】
【００１８】
以下に、本発明の最良の実施の形態に係るループ状光導波路による光分岐回路及びセンサの実施例について図１乃至図４を用いて説明する。
【実施例１】
【００１９】
実施例１の光分岐回路について図１及び図２を用いて説明する（特に、請求項１に対応）。
図１（ａ）は実施例１の光分岐回路の側面図であり、同図（ｂ）は実施例１の光分岐回路を略円柱状部材の軸に垂直な平面で切断した断面図である。
図１（ａ）に示すように、光分岐回路１ａはガラス製の基板２と、ガラス製の略円柱状部材３とからなり、略円柱状部材３は側面平坦部４が基板２の表面に当接するように基板２上に配置されている。さらに図１（ｂ）に示すように、基板２の表面及び略円柱状部材３の側面には熱拡散法によりそれぞれ第１光導波路５及び第２光導波路６が形成されている。なお、熱拡散法はイオン交換法の一種であり、ドーパントイオンを含む融液中にガラス製の基板２を浸すことによりガラス表面でナトリウムイオンとドーパントイオンを交換し、さらに基板２表面から内部へと拡散させる方法である。また、光導波路のその他の形成方法としては、デポジション法、エピタキシャル法及びイオン注入法などがある。
【００２０】
このような構造の光分岐回路１ａにおいては、図１（ｂ）に示すように第１光導波路入射光７は第１光導波路５の内部で全反射を繰り返しながら進行し、略円柱状部材３の側面平坦部４では第１光導波路５及び第２光導波路６を進行し、分岐部９において第１光導波路通過光７ａと第２光導波路通過光８ａとに分岐される。第２光導波路通過光８ａは第２光導波路６の内部で全反射を繰り返しながら略円柱状部材３の側面に沿って螺旋状に周回し、側面平坦部４において再び第１光導波路５及び第２光導波路６を進行し、分岐部９で第１光導波路通過光７ｂと第２光導波路通過光８ｂとに分岐され、以下この現象を繰り返す。
なお、図１（ｂ）中に符号αで示される角度は、分岐部９における第１光導波路通過光７ａと第２光導波路通過光８ａとのなす角度であるが、この角度は、次に図２を用いて、分岐される第１光導波路通過光７ａ〜７ｄの間隔を説明する際に用いる。
【００２１】
図２は実施例１の光分岐回路における光路を示す正面図である。図２に示すように、基板２上には略円柱状部材３が第１光導波路入射光７に対して斜めに設けられている。
このような光分岐回路１ａに対して、第１光導波路入射光７の進行方向に直交する方向と略円柱状部材３の軸方向とのなす角度をθとし、図１（ｂ）に示す前述の角度をαとし、略円柱状部材３の半径をｒとすると、第２光導波路通過光８ａ〜８ｄが螺旋状に周回するごとに分岐される第１光導波路通過光７ａ〜７ｄの間隔ｄは次の式で表される。
【００２２】
【数１】
2006105796.tif 000003
【００２３】
一例をあげると、略円柱状部材３の半径ｒが２．５ｍｍ、第１光導波路入射光７の進行方向に直交する方向と略円柱状部材３の軸方向とのなす角度θが２０°、図１（ｂ）に示す前述の角度αが５°の場合、数１に従えば、第１光導波路通過光７ａ〜７ｄの間隔ｄは５．２ｍｍとなる。
このような構造の光分岐回路１ａにおいては、第１光導波路入射光７の進行方向に直交する方向と略円柱状部材３の軸方向とのなす角度θに対応して複数本に分岐された第１光導波路通過光７ａ〜７ｄの間隔ｄが決まるという作用を有する。
【００２４】
以上説明したように、本実施例の光分岐回路１ａによれば、分岐回路が３次元構造であるため、光分岐回路１ａ全体を第１光導波路入射光７の進行方向へ大きく長くすることなく、分岐数を増やすことが可能である。さらに、本光分岐回路１ａを他の装置等に組み込む際には第１光導波路入射光７の進行方向に直交する方向と略円柱状部材３の軸方向とのなす角度θを所望の値に設定することにより、複数本に分岐された第１光導波路通過光７ａ〜７ｄの間隔ｄを数１に従って決定することができる。
【実施例２】
【００２５】
次に、ループ状光導波路による光分岐回路を用いるセンサについて実施例２として図３及び図４を用いて説明する（特に、請求項２に対応）。
図３は実施例２のセンサの構成図である。本センサは実施例１の光分岐回路を用いるものであるため、実施例１と同一の構成要素については同一の符号を付して作用及び効果の説明を省略する。センサ１１は実施例１の光分岐回路１ａと、被検出物質の作用によって光透過度が変化する機能性薄膜１２ａ〜１２ｄと、レーザ光源１３と、プリズム１４と、光検出器１５ａ〜１５ｅとを備え、機能性薄膜１２ａ〜１２ｄは略円柱状部材３の図示しない側面平坦部以外の第２光導波路６上に塗布された構造となっている。図３に示すように、レーザ光源１３から出射されプリズム１４により図示しない第１光導波路内に入射された第１光導波路入射光７は、図示しない第１光導波路の内部で全反射を繰り返しながら進行し、実施例１で説明したように略円柱状部材３に形成された第２光導波路６の作用により複数本の第１光導波路通過光７ａ〜７ｅに分岐され、光検出器１５ａ〜１５ｅによりそれぞれ光強度が検出される。
【００２６】
第２光導波路６上へ塗布する機能性薄膜１２ａ〜１２ｄは、被検出物質により吸光及び蛍光を示す色素を高分子膜に固定することで作製する。具体的には、酸性ガスに反応すると光を吸収する性質のあるテトラフェニルポルフィリン（ＴＰＰＨ２）及び高分子膜のエチルセルロース（ＥＣ）などを色素及び高分子膜として用いることができる。テトラフェニルポルフィリンとエチルセルロースの複合膜は、塩化水素ガス及び硝酸ガスの存在下において、それぞれ４４６ｎｍ及び４４１ｎｍの波長の光を吸収し、ガスの濃度が高いほどその吸収率は高くなる。すなわち、このような複合膜を機能性薄膜１２ａ〜１２ｄとして用い、４４６ｎｍ及び４４１ｎｍの波長の光を第１光導波路入射光７とするならば、第１光導波路通過光７ａ〜７ｅの強度を測定することにより、塩化水素ガス及び硝酸ガスの検出と濃度測定が可能となるのである。
【００２７】
図４は実施例２のセンサの光導波路を略円柱状部材の軸に垂直な平面で切断した断面図である。図４に示すように、第１光導波路入射光７は第１光導波路５の内部で全反射を繰り返しながら進行し、略円柱状部材３の側面平坦部４では第１光導波路５及び第２光導波路６を進行し、分岐部９において第１光導波路通過光７ａと第２光導波路通過光８ａとに分岐される。第１光導波路通過光７ａの強度は図３に示した光検出器１５ａで測定される。一方、第２光導波路通過光８ａは第２光導波路６の内部で全反射を繰り返しながら略円柱状部材３の側面に沿って螺旋状に周回するが、僅かながら表面から漏れ出る光が機能性薄膜１２ａにより透過される。このとき機能性薄膜１２ａの光透過度がガスの吸着により変化していると、第２光導波路通過光８ａの強度が変化する。螺旋状に周回した第２光導波路通過光８ａは、側面平坦部４において再び第１光導波路５及び第２光導波路６を進行し、分岐部９で第１光導波路通過光７ｂと第２光導波路通過光８ｂとに分岐される。第１光導波路通過光７ｂは図３に示した光検出器１５ｂによって光強度が測定される。略円柱状部材３の側面を螺旋状に周回する第２光導波路通過光８ｂは、機能性薄膜１２ｂの作用により強度が変化させられた後、側面平坦部４において再び第１光導波路５及び第２光導波路６を進行し、分岐部９で第１光導波路通過光７ｃと第２光導波路通過光８ｃとに分岐される。以下この現象を繰り返す。すなわち、分岐部９で分岐された第２光導波路通過光８ａ〜８ｄは機能性薄膜１２ａ〜１２ｄの影響を受けながらループ状の第２光導波路６を進行し、螺旋状の周回を繰り返すのである。
このような構造のセンサ１１においては、被検出物質の作用により機能性薄膜１２ａ〜１２ｄの光透過度が変化すると第２光導波路通過光８ａ〜８ｄの一部が機能性薄膜１２ａ〜１２ｄに吸収されるため、光検出器１５ａ〜１５ｅにおいて検出される光の強度が変化する。また、第２光導波路６がループ状をなしているため、直線状に設けられるよりも距離を稼ぐことが可能であり、機能性薄膜１２ａ〜１２ｄを長く形成することができる。これによりセンサの検出感度が向上する。
【００２８】
また、レーザ光源１３から出射されプリズム１４により光導波路１６に入射された入射光強度をＰ、第２光導波路６を進行し略円柱状部材３の側面に沿って螺旋状に周回する光の周回数をｎ、機能性薄膜１２の光透過度をａｎ、分岐部９における分岐効率をηとし、第１光導波路５及び第２光導波路６における損失や分岐部９及び合流部１０における損失を無視した場合、出射光強度Ｐｎは、以下の式で表される。ただし、ａ０＝１である。
【００２９】
【数２】
2006105796.tif 000004
【００３０】
本実施例について図３を用いて説明する。まず、光検出器１５ａで検出される第１光導波路通過光７ａの光強度は数２でｎ＝０の場合に相当する。すなわち、出射光強度Ｐ０はＰ（１−η）となる。次に、第２光導波路通過光８ａの光強度は機能性薄膜１２ａの作用により分岐直後の値Ｐ×ηからＰ×ａ１×ηへと変化する。これにより、光検出器１５ｂで検出される第１光導波路通過光７ｂの出射光強度Ｐ１はＰ×ａ１×η（１−η）となり、これは数２でｎ＝１の場合を表している。さらに、第２光導波路通過光８ｂの光強度は機能性薄膜１２ｂの作用によりＰ×ａ１×ａ２×η２となるため、光検出器１５ｃで検出される第１光導波路通過光７ｃの出射光強度Ｐ２はＰ×ａ１×ａ２×η２（１−η）となり、これは数２でｎ＝２の場合を表している。同様に、第２光導波路通過光８ｃの光強度は機能性薄膜１２ｃの作用によりＰ×ａ１×ａ２×ａ３×η３となり、光検出器１５ｄで検出される第１光導波路通過光７ｄの出射光強度Ｐ３はＰ×ａ１×ａ２×ａ３×η３（１−η）となる。さらに、第２光導波路通過光８ｄの光強度は機能性薄膜１２ｄの作用によりＰ×ａ１×ａ２×ａ３×ａ４×η４となり、光検出器１５ｅで検出される第１光導波路通過光７ｅの出射光強度Ｐ４はＰ×ａ１×ａ２×ａ３×ａ４×η４（１−η）となる。
数２によれば、被検出物質の濃度に応じて光透過度ａｎが変化すると出射光強度Ｐｎが変化するが、分岐効率ηは固定係数であるため、出射光強度Ｐｎを測定することにより光透過度ａｎを算出できることが分かる。具体的には、第１光導波路入射光の強度とＰ０とを比較することによりηが求められ、Ｐ１〜Ｐ４から順次ａ１〜ａ４が求められる。すなわち、事前に被検出物質の濃度と光透過度ａ１〜ａ４との相関関係を測定しておくことで被検出物質の濃度測定が可能となる。
【００３１】
以上説明したように、本実施例のセンサ１１によれば、第２光導波路６の周回毎に異なる種類の機能性薄膜１２ａ〜１２ｄを塗布することにより複数の化学物質を同時に検出することができる。また、第２光導波路６がループ状をなしているため、直線状に設けられるよりも距離を稼ぐことが可能であり、センサ１１を第１光導波路入射光７の進行方向へ大きく長くすることなく、機能性薄膜１２ａ〜１２ｄのみを長く形成することでセンサ１１の小型化と高感度化を同時に実現することが可能である。
【００３２】
本発明のループ状光導波路による光分岐回路及びセンサは上記実施例に限定されるものではなく、種々変形可能である。例えば、略円柱状部材は略楕円柱状や略円筒状若しくは略楕円筒状であっても良い。さらに、それらの部材は、半径が軸方向に対して一定でない形状としても良い。例えば、第２光導波路通過光が螺旋状の周回を重ねるに従って周回する半径が徐々に大きくなる、あるいは徐々に小さくなるような略円錐状部材あるいは中空の略円錐状部材とすることも可能である。特に前者のように半径が徐々に大きくなる場合、周回毎に半径が増加することから機能性薄膜を塗布できる長さも増加させることができるため、周回を重ねることによる第２光導波路通過光の強度低下に起因するセンサの検出感度の低下を、周回毎に長くなる機能性薄膜によって補うことができる。
また、側面平坦部における通過光の進行方向の長さも長くしたり短くしたりすることができるのはもちろんであるが、この長さも第２光導波路通過光が螺旋状の周回を重ねるに従って長くしたり、短くしたりすることも可能である。このような場合においては、逆に徐々に短くする方が、機能性薄膜を塗布できる長さを増加させることができるので、センサの検出感度の低下を補うことができる。但し、数１のαが徐々に小さくなるため、次第に間隔ｄが開くようになる。
さらに、基板及び略円柱状部材にはガラスの代わりに、Ｔｉ拡散ＬｉＮｂＯ３や化合物半導体やプラスチック等を使用することができる。また、センサは気体以外に液体の検出も可能であり、光検出器を各測定に対応する検出器に取り替えることにより、温度、速度、変位などの物理量も測定することができる。また、機能性薄膜や光検出器の数は本実施例に限定されるものではなく、センサの大きさや用途に応じて最も適切な数を選択することが好ましい。
【産業上の利用可能性】
【００３３】
本発明に係るループ状光導波路による光分岐回路を用いたセンサは化学物質の検出のみでなく、温度、速度、変位などの物理量の測定についても適用可能であり、広く一般産業について利用が可能である。
【図面の簡単な説明】
【００３４】
【図１】（ａ）は実施例１の光分岐回路の側面図であり、（ｂ）は実施例１の光分岐回路を略円柱状部材の軸に垂直な平面で切断した断面図である。
【図２】実施例１の光分岐回路における光路を示す正面図である。
【図３】実施例２のセンサの構成図である。
【図４】実施例２のセンサの光導波路を略円柱状部材の軸に垂直な平面で切断した断面図である。
【図５】従来の光導波路型Ｙ分岐回路の一例を示す図である。
【図６】透過型ガスセンサの原理を説明する図である。
【図７】光分岐回路を用いたガスセンサの構成図である。
【図８】従来技術に係る１２８分岐導波型光スターカプラの平面構成図である。
【符号の説明】
【００３５】
１，１ａ…光分岐回路  ２…基板  ３…略円柱状部材  ４…側面平坦部  ５…第１光導波路  ６…第２光導波路  ７…第１光導波路入射光  ７ａ〜７ｅ…第１光導波路通過光  ８ａ〜８ｄ…第２光導波路通過光  ９…分岐部  １０…合流部  １１…センサ  １２，１２ａ〜１２ｅ…機能性薄膜  １３…レーザ光源  １４…プリズム  １５，１５ａ〜１５ｅ…光検出器  １６…光導波路  １７…Ｙ分岐  １８，１８ａ…ガスセンサ  ５１…シリコン基板  ５２…入力用単一モードチャンネル導波路  ５３…扇形スラブ導波路  ５４…テーパ導波路  ５５…出力用単一モードチャンネル導波路
【図１】
2006105796.tif 000005
【図２】
2006105796.tif 000006
【図３】
2006105796.tif 000007
【図４】
2006105796.tif 000008
【図５】
2006105796.tif 000009
【図６】
2006105796.tif 000010
【図７】
2006105796.tif 000011
【図８】
2006105796.tif 000012